【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
オンライン・システムのユーザによって用いられる複数のユーザ・デバイスから位置情報を受信する工程であって、前記位置情報は前記複数のユーザ・デバイスの各々が位置した複数の異なる位置を識別する、工程と、
前記オンライン・システムの複数のユーザの各々が訪問した位置に関する複数のチェーンを前記位置情報から抽出する工程であって、位置に関する各チェーンは、それぞれのユーザが訪問した２つ以上の位置を含み、前記複数のチェーンの抽出は、
２つ以上の位置について、（１）前記ユーザが前記２つ以上の位置の両方について第１の最大しきい値長さの時間内で位置した場合、かつ、（２）前記ユーザが前記２つ以上の位置の各々に第２の最小しきい値量以上にわたり位置した場合に、それら２つの位置を識別することと、
前記２つ以上の位置を前記ユーザが訪問した位置に関するチェーンとして抽出することと、を含む、抽出工程と、
位置に関する前記チェーンを用いて１以上の位置ペアを生成する工程であって、各位置ペアは第１の位置および第２の位置を含み、前記１以上の位置ペアの生成は、
抽出された位置に関する前記複数のチェーンのうちの共通するチェーンにおける前記第１の位置と前記第２の位置との出現数に基づき、位置に関する前記チェーンにおける２つの位置の関連付けを行うことと、
前記関連付けが第３のしきい値より大きいことに応じて、前記２つの位置をペアにすることと、を含む、生成工程と、
閲覧ユーザが位置ペアにおける前記位置のうちの一方を以前に訪問したと決定する工程と、
前記決定に応じて、前記ユーザに対する提示用に前記位置の他方についてのコンテンツ・アイテムを選択する工程と、を備える方法。
【請求項２】
前記複数のユーザに関する１以上の人口統計学的特性に基づき、抽出された位置に関する前記チェーンをフィルタリングする工程をさらに備え、前記生成工程はフィルタリングされた位置の前記チェーンのみに基づく、請求項１に記載の方法。
【請求項３】
各チェーンにおいて対応するユーザが前記位置を訪問したコンテキストに基づき、抽出された位置に関する前記チェーンをフィルタリングする工程をさらに備え、前記生成工程はフィルタリングされた位置の前記チェーンのみに基づく、請求項１に記載の方法。
【請求項４】
前記ユーザに対する提示用のコンテンツ・アイテムを選択する工程は、前記ユーザが位置ペアにおける前記位置のうちの一方に位置することに応じて、前記ユーザに対する提示用に前記位置ペアにおける他方の位置についてのコンテンツ・アイテムを選択する工程を含む、請求項１に記載の方法。
【請求項５】
前記ユーザに対する提示用のコンテンツ・アイテムを選択する工程は、前記ユーザが位置ペアにおける前記位置のうちの一方を以前に訪問したと決定する工程と、
前記決定に応じて、前記ユーザに対する提示用に前記位置ペアにおける他方の位置についてのコンテンツ・アイテムを選択する工程と、を含む請求項１に記載の方法。
【請求項６】
前記ユーザに対する提示用のコンテンツ・アイテムを選択する工程は、前記ユーザに対する提示用に位置ペアにおける前記第１の位置および前記第２の位置についてのコンテンツ・アイテムを選択する工程を含む、請求項１に記載の方法。
【請求項７】
前記第１しきい値は、前記チェーンにおける前記位置のうちの１つ以上の種類に応じて調節される、請求項１に記載の方法。
【請求項８】
命令が符号化された非一時的なコンピュータ可読記憶媒体を備えるコンピュータ・プログラム製品であって、前記命令はプロセッサによる実行時、前記プロセッサに、
オンライン・システムのユーザによって用いられる複数のユーザ・デバイスから位置情報を受信する工程であって、前記位置情報は前記複数のユーザ・デバイスの各々が位置した複数の異なる位置を識別する、工程と、
前記オンライン・システムの複数のユーザの各々が訪問した位置に関する複数のチェーンを前記位置情報から抽出する工程であって、位置に関する各チェーンは、それぞれのユーザが訪問した２つ以上の位置を含み、前記複数のチェーンの抽出は、
２つ以上の位置について、（１）前記ユーザが前記２つ以上の位置の両方について第１の最大しきい値長さの時間内で位置した場合、かつ、（２）前記ユーザが前記２つ以上の位置の各々に第２の最小しきい値量以上にわたり位置した場合に、それら２つの位置を識別することと、
前記２つ以上の位置を前記ユーザが訪問した位置に関するチェーンとして抽出することと、を含む、抽出工程と、
位置に関する前記チェーンを用いて１以上の位置ペアを生成する工程であって、各位置ペアは第１の位置および第２の位置を含み、前記１以上の位置ペアの生成は、
抽出された位置に関する前記複数のチェーンのうちの共通するチェーンにおける前記第１の位置と前記第２の位置との出現数に基づき、位置に関する前記チェーンにおける２つの位置の関連付けを行うことと、
前記関連付けが第３のしきい値より大きいことに応じて、前記２つの位置をペアにすることと、を含む、生成工程と、
閲覧ユーザが位置ペアにおける前記位置のうちの一方を以前に訪問したと決定する工程と、
前記決定に応じて、前記ユーザに対する提示用に前記位置の他方についてのコンテンツ・アイテムを選択する工程と、を行わせる、コンピュータ・プログラム製品。
【請求項９】
前記プロセッサによる実行時、前記プロセッサに、前記複数のユーザに関する１以上の人口統計学的特性に基づき、抽出された位置に関する前記チェーンをフィルタリングする工程を行わせる命令を含み、
前記プロセッサは、フィルタリングされた位置の前記チェーンのみに基づき１以上の位置ペアを生成する、請求項８に記載のコンピュータ・プログラム製品。
【請求項１０】
前記プロセッサによる実行時、前記プロセッサに、各チェーンにおいて対応するユーザが前記位置を訪問したコンテキストに基づき、抽出された位置に関する前記チェーンをフィルタリングする工程を行わせる命令を含み、
前記プロセッサは、フィルタリングされた位置の前記チェーンのみに基づき１以上の位置ペアを生成する、請求項８に記載のコンピュータ・プログラム製品。
【請求項１１】
前記ユーザに対する提示用のコンテンツ・アイテムを選択する工程を前記プロセッサに行わせる前記命令は、前記プロセッサによる実行時、前記プロセッサに、
前記ユーザが位置ペアにおける前記位置のうちの一方に位置することに応じて、前記ユーザに対する提示用に前記位置ペアにおける他方の位置についてのコンテンツ・アイテムを選択する工程を行わせる命令を含む、請求項８に記載のコンピュータ・プログラム製品。
【請求項１２】
前記ユーザに対する提示用のコンテンツ・アイテムを選択する工程を前記プロセッサに行わせる前記命令は、前記プロセッサによる実行時、前記プロセッサに、
前記ユーザが位置ペアにおける前記位置のうちの一方を以前に訪問したと決定する工程と、
前記決定に応じて、前記ユーザに対する提示用に前記位置ペアにおける他方の位置についてのコンテンツ・アイテムを選択する工程と、を行わせる命令を含む、請求項８に記載のコンピュータ・プログラム製品。
【請求項１３】
前記ユーザに対する提示用のコンテンツ・アイテムを選択する工程を前記プロセッサに行わせる前記命令は、前記プロセッサによる実行時、前記プロセッサに、
前記ユーザに対する提示用に位置ペアにおける前記第１の位置および前記第２の位置についてのコンテンツ・アイテムを選択する工程を行わせる命令を含む、請求項８に記載のコンピュータ・プログラム製品。
【請求項１４】
前記第１しきい値は、前記チェーンにおける前記位置のうちの１つ以上の種類に応じて調節される、請求項８に記載のコンピュータ・プログラム製品。